(57)【要約】      （修正有）【課題】取り付けが簡単で、網に損傷を与えたり、網戸から離脱することがない網戸用補修具を提供する。【解決手段】シート状部３に、軸部２０の先端に係止部２１を形成した多数の突起状物２を林立状態に配設してなり、突起状物２を網戸５の網目５０に挿通し、係止部２１を網戸５の網糸５１、５２に係止することにより網戸５の損傷部５３をシート状部３で覆うように構成し、突起状物２が、２５０〜４００デニールのポリプロピレン樹脂からなるモノフィラメントの先端部を溶融して膨頭状の係止部２１を形成してなるとともに、網戸５の縦方向の網糸５１及び横方向の網糸５２に対する方向に隣接する突起状物２の平均間隔ＰＡを１〜２ｍｍで、かつ、突起状物２の間隔Ｐ１、Ｐ２を網戸５の網糸５１、５２の配設ピッチＰＢの整数倍を除く寸法に設定する。【選択図】図１
0003168242.tif 000002
【実用新案登録請求の範囲】
【請求項１】
シート状部に、軸部の先端に係止部を形成した多数の突起状物を林立状態に配設してなり、突起状物を網戸の網目に挿通し、係止部を網戸の網糸に係止することにより網戸の損傷部をシート状部で覆うようにする網戸用補修具において、前記突起状物が、２５０〜４００デニールのポリプロピレン樹脂からなるモノフィラメントの先端部を溶融して膨頭状の係止部を形成してなるとともに、網戸の縦方向の網糸及び横方向の網糸に対する方向に隣接する突起状物の平均間隔を１〜２ｍｍで、かつ、該突起状物の間隔を網戸の網糸の配設ピッチの整数倍を除く寸法に設定してなることを特徴とする網戸用補修具。
【請求項２】
前記突起状物を、網戸の縦方向の網糸及び横方向の網糸に対する方向のいずれかに千鳥状に配列させてなることを特徴とする請求項１記載の網戸用補修具。
【請求項３】
前記突起状物の軸部の長さを、０．６〜１．０ｍｍに形成してなることを特徴とする請求項１又は２記載の網戸用補修具。
【考案の詳細な説明】
【技術分野】
【０００１】  本考案は、網戸の損傷部を補修する網戸用補修具に関し、特に、取り付けが簡単で、網に損傷を与えたり、網戸から離脱することがない網戸用補修具に関するものである。
【背景技術】
【０００２】  網戸の網が損傷した場合、網戸の枠から損傷した網を取り外し、新しい網を張り替える必要があるが、網戸の網の張り替えは、張り替えのための網戸補修用キットが市販されているものの、一般ユーザーが網の張り替えを行うと、網に弛みが生じて見栄えが悪くなりやすいという問題があった。  また、専門業者に委託すると、損傷が一部の軽微な範囲でも全体を張り替える必要があるため、費用がかさむという問題があった。【０００３】  この問題に対処するために、シート状部に、軸部の先端に係止部を形成した多数の突起状物を林立状態に配設してなり、突起状物を網戸の網目に挿通し、係止部を網戸の網糸に係止することにより網戸の損傷部をシート状部で覆うようにする網戸用補修具が提案されている（例えば、特許文献１参照）。【０００４】  この網戸用捕集具は、カギの間隔、大きさ、高さ等が特定されておらず、特に、図示されたものは、網の網目に対してカギの間隔、大きさ、高さ等が大きいため、網戸用捕集具を適用した網にかえって損傷を与えたり、網戸から離脱しやすいものと予想される。
【先行技術文献】
【特許文献】
【０００５】
【特許文献１】特開平８−７４４８２号公報
【考案の概要】
【考案が解決しようとする課題】
【０００６】  本考案は、取り付けが簡単で、網に損傷を与えたり、網戸から離脱することがない網戸用補修具を提供することを目的とする。
【課題を解決するための手段】
【０００７】  上記目的を達成するため、本考案の網戸用補修具は、シート状部に、軸部の先端に係止部を形成した多数の突起状物を林立状態に配設してなり、突起状物を網戸の網目に挿通し、係止部を網戸の網糸に係止することにより網戸の損傷部をシート状部で覆うようにする網戸用補修具において、前記突起状物が、２５０〜４００デニールのポリプロピレン樹脂からなるモノフィラメントの先端部を溶融して膨頭状の係止部を形成してなるとともに、網戸の縦方向の網糸及び横方向の網糸に対する方向に隣接する突起状物の平均間隔を１〜２ｍｍで、かつ、該突起状物の間隔を網戸の網糸の配設ピッチの整数倍を除く寸法に設定してなることを特徴とする。【０００８】  この場合において、前記突起状物を、網戸の縦方向の網糸及び横方向の網糸に対する方向のいずれかに千鳥状に配列させることができる。【０００９】  また、前記突起状物の軸部の長さを、０．６〜１．０ｍｍに形成することができる。
【考案の効果】
【００１０】  本考案の網戸用補修具によれば、突起状物が、２５０〜４００デニールのポリプロピレン樹脂からなるモノフィラメントの先端部を溶融して膨頭状の係止部を形成してなるとともに、網戸の縦方向の網糸及び横方向の網糸に対する方向に隣接する突起状物の平均間隔を１〜２ｍｍで、かつ、該突起状物の間隔を網戸の網糸の配設ピッチ（一般的な網戸に用いられる網は、１８メッシュ（メッシュは１インチ当たりの網目の数）であるので、通常は、この網の配設ピッチである１．４ｍｍ）の整数倍を除く寸法に設定してなることにより、装着時の抵抗が小さく、かつ、膨頭状の係止部が網糸に確実に引っ掛かるため、取り付けが簡単で、網に損傷を与えたり、網戸から離脱することがない網戸用補修具を提供することができる。【００１１】  また、前記突起状物を、網戸の縦方向の網糸及び横方向の網糸に対する方向のいずれかに千鳥状に配列させることにより、直線上に配列されている縦方向の網糸又は（及び）横方向の網糸に対して、千鳥状に配列させた突起状物が確実に引っ掛かるため、網戸からより離脱しにくくすることができる。【００１２】  また、前記突起状物の軸部の長さを、０．６〜１．０ｍｍに形成することにより、一般的に、縦方向の網糸と横方向の網糸とを交互に浮き沈みさせて織り込む平織りで作られる網戸の網に対して、網糸の線径（一般的な網戸に用いられる網の場合、０．３ｍｍ）の２倍以上の長さを有することで突起状物が網糸に確実に引っ掛かり、また、大きな遊びがないため、網戸からより離脱しにくくすることができる。
【図面の簡単な説明】
【００１３】
【図１】本考案の網戸用補修具の一実施例を示し、（ａ）は網戸の網に取り付けた状態を示す一部切り欠きの正面図、（ｂ）は（ａ）のＺ−Ｚ断面図である。
【図２】同網戸用補修具を示し、（ａ）は斜視図、（ｂ）は（ａ）のＶ部の拡大図である。
【図３】同網戸用補修具を示し、（ａ）は平面図、（ｂ）は（ａ）のＷ−Ｗ断面図、（ｃ）は突起状物の軸部をシート状部に対して傾斜して配設した例を示す（ａ）のＷ−Ｗ断面図である。
【考案を実施するための形態】
【００１４】  以下、本考案の網戸用補修具の実施の形態を、図面に基づいて説明する。
【００１５】  図１〜図３に、本考案の網戸用補修具の一実施例を示す。  この網戸用補修具１は、シート状部３に、軸部２０の先端に係止部２１を形成した多数の突起状物２を林立状態に配設してなり、突起状物２を網戸５の網目５０に挿通し、係止部２１を網戸５の網糸５１、５２に係止することにより網戸５の損傷部５３をシート状部３で覆うように構成し、突起状物２が、２５０〜４００デニールのポリプロピレン樹脂からなるモノフィラメントの先端部を溶融して膨頭状の係止部２１を形成してなるとともに、網戸５の縦方向の網糸５１及び横方向の網糸５２に対する方向に隣接する突起状物２の平均間隔ＰＡを１〜２ｍｍで、かつ、突起状物２の間隔Ｐ１、Ｐ２、Ｐ３を網戸５の網糸５１、５２の配設ピッチＰＢの整数倍を除く寸法に設定するようにしている。
【００１６】  網戸５の網糸５１、５２の配設ピッチＰＢは、一般的な網戸に用いられる網の１８メッシュ（メッシュは１インチ当たりの網目の数）の場合、１．４ｍｍであり、さらに細かい、３５メッシュの場合、０．７ｍｍである。  このため、突起状物２の間隔Ｐ１、Ｐ２、Ｐ３は、より具体的には、１．４ｍｍ（さらに好ましくは、０．７ｍｍ）の整数倍を除く寸法に設定するようにする。  ここで、本実施例においては、図３に示すように、Ｘ方向に間隔Ｐ１（Ｐ１＝２ｍｍ）、Ｐ２（Ｐ２＝１ｍｍ）が交互に出現するように配列し、Ｘ方向の平均間隔ＰＡを１．５ｍｍとし、Ｙ方向には間隔Ｐ３（Ｐ３＝１．０５ｍｍ）となるように配列し、Ｙ方向の平均間隔ＰＡを１．０５ｍｍとなるようにしている。
【００１７】  突起状物２は、ポリアミド樹脂繊維からなるシート状部３に林立状態に配設した２５０〜４００デニール（例えば、３００デニール）のポリプロピレン樹脂からなるモノフィラメントの先端部を溶融して膨頭状の係止部２１を形成するものであれば、特に限定されるものではなく、本実施例においては、膨頭状の係止部２１はマッシュルーム型の形状をすることにより、膨頭状の係止部２１の全方向で網糸５１、５２に引っ掛かるようにしている。
【００１８】  また、突起状物２の軸部２０は、図２（ｂ）に示すように、長さＬを、０．６〜１．０ｍｍに形成するようにしている。  これは、一般的に、縦方向の網糸５１と横方向の網糸５２とを交互に浮き沈みさせて織り込む平織りで作られる網戸５の網に対して、網糸５１、５２の線径（一般的な網戸に用いられる網の場合、０．３ｍｍ）の２倍以上の長さＬを有することで突起状物２が網糸５１、５２に確実に引っ掛かり、また、大きな遊びがないため、網戸からより離脱しにくくすることができる。
【００１９】  また、突起状物２は、図２〜図３に示すように、網戸５の縦方向の網糸５１及び横方向の網糸５２に対する方向のいずれかに対して千鳥状に配列させるようにしている。  千鳥状に配列させる方向は、縦方向の網糸５１及び横方向の網糸５２のいずれか一方（又は両方）とすることができ、本実施例においては、縦方向の網糸５１の方向（図２に示すＹ方向）に千鳥状になるように配列している。  千鳥状に配列することによって、直線上に配列されている縦方向の網糸５１又は（及び）横方向の網糸５２に対して、千鳥状に配列させた突起状物２が確実に引っ掛かるため、網戸からより離脱しにくくすることができる。
【００２０】  軸部２０と膨頭状の係止部２１とによって形成される突起状物２は、図３（ｂ）に示すように、織布で形成されるシート状部３に織り込まれており、シート状部３に対して直角に林立するように配設されている。  また、図３（ｃ）に示すように、突起状物２を、シート状部３に対して軸部２０が角度αだけ傾斜して配設することもできる。  この角度αは、６０〜８５°、好ましくは６５〜７５°、さらに好ましくは約７０°となるように設定する。  これによって、縦方向の網糸５１又は（及び）横方向の網糸５２に対して、突起状物２が確実に引っ掛かるため、網戸からより離脱しにくくすることができる。
【００２１】  また、突起状物２の軸部２０の軸径Ｄに対して、膨頭状の係止部２１の最大径Ｄｍは、１．５〜２．４倍とすることが好ましい。  これは、膨頭状の係止部２１の最大径Ｄｍを、網目５０を通過することができる径とする必要があり、網目５０の口径は、上述した網戸５の網糸５１、５２の配設ピッチＰＢから網糸５１、５２の線径は減じたサイズとなり、一般的な１８メッシュの場合、約１．１ｍｍであり、さらに細かい、３５メッシュの場合には、約０．６ｍｍとなる。  そして、２５０〜４００デニールのポリプロピレン樹脂からなるモノフィラメントは、ポリプロピレンの比重が、約０．９であることからその線径は、０．２ｍｍ〜０．２５ｍｍとなり、この値が軸径Ｄとなる。  このため、軸径Ｄに対して、膨頭状の係止部２１の最大径Ｄｍを、１．５〜２．４倍とすることによって、最大径Ｄｍは０．３〜０．６ｍｍとなり、突起状物２の膨頭状の係止部２１は、一般的な網戸５の網目５０を通過し、縦方向の網糸５１又は横方向の網糸５２に係止される。  一方、突起状物２の膨頭状の係止部２１の最大径Ｄｍが、軸径Ｄに対して、２．４倍以上の場合、網目５０の通過が困難になるとともに、１．５倍未満の場合、係止部２１が、網糸５１、５２に対して引っ掛かりにくく、網戸から離脱しやすくなる。
【００２２】  織布で形成されるシート状部３は、その形状を、意匠的な形状（例えば、幾何学的な形状や動物等の象形形状）にしたり、室内側に模様を施したりすることができる。  また、網戸５の網糸５１、５２と同色（一般的に用いられる、青、黒、銀等）としたり、透明にしたりして、外見上、目立たないようにすることもできる。
【００２３】  次に、網戸５に損傷部５３が生じたとき、この網戸用補修具１を用いて損傷部５３を覆う手順を説明する。  まず、シート状部３の中心と損傷部５３の位置を合わせ、ゆっくりと突起状物２の膨頭状の係止部２１が網目５０を通過するように網戸５の網に向かって押し付ける。  このとき、多くの係止部２１は、縦方向の網糸５１、横方向の網糸５２又はこれらが交差する箇所に当接することとなるが、軸部２０がシート状部３に対して適宜撓んで網目５０を通過する。  なお、押し付ける際には、シート状部３の中心に位置する網目５０の損傷部５３から外側に向かって拡げていくように押し付けていくことが好ましい。
【００２４】  このようにして、損傷部５３をシート状部３で覆うことによって、外部からの虫の侵入や、損傷した部分の網糸５１、５２がほつれ、損傷部５３が拡大することを防止することができる。
【００２５】  以上、本考案の網戸用補修具について、実施例に基づいて説明したが、本考案は上記実施例に記載した構成に限定されるものではなく、その趣旨を逸脱しない範囲において適宜その構成を変更することができるものである。
【産業上の利用可能性】
【００２６】  本考案の網戸用補修具は、取り付けが簡単で、網に損傷を与えたり、網戸から離脱することがないという特性を有していることから、網戸の補修の用途に好適に用いることができる。
【符号の説明】
【００２７】  １    網戸用補修具  ２    突起状物  ２０  軸部  ２１  係止部  ３    シート状部  ５    網戸  ５０  網目  ５１  縦方向の網糸  ５２  横方向の網糸  ５３  損傷部  ＰＡ  突起状物の平均間隔  ＰＢ  網糸の配設ピッチ  Ｌ    軸部の長さ
【図１】
0003168242.tif 000003
【図２】
0003168242.tif 000004
【図３】
0003168242.tif 000005